【手続補正書】
【提出日】平成20年7月22日(2008.7.22)
【手続補正１】
【補正対象書類名】明細書
【補正対象項目名】特許請求の範囲
【補正方法】変更
【補正の内容】
【特許請求の範囲】
【請求項１】  放送周波数の搬送波および側波帯を有する単一の側波帯の放送信号を伝送するための、前記搬送波を中心とする伝送帯域幅内でフル・パワーで伝送可能なＦＭ放送送信機であって、
前記放送周波数での搬送波を有し、ステレオ信号を表す、前記伝送帯域幅よりも狭い帯域幅を備えた側波帯を有する変調ＦＭステレオ信号の発生源と、
可変パルス幅符号化信号として符号化されたＩＢＯＣデジタル・データ信号を表す、互いを基準として間隔を空けて配置された搬送波パルスと、前記ＦＭステレオ信号側波帯と重複することのない、前記伝送帯域幅内の帯域幅を有する変調ＩＢＯＣ信号の発生源と、
前記変調ＦＭステレオ信号と前記変調ＩＢＯＣ信号を組み合わせて前記放送信号を形成するための信号コンバイナと
によって特徴付けられるＦＭ放送送信機。
【請求項２】  さらに前記信号コンバイナと送信アンテナとの間で結合された電力増幅器（２７０）によって特徴付けられる請求項１に記載の送信機。
【請求項３】  前記変調ステレオ信号発生源は、
ステレオ・オーディオ信号に応答して複合ステレオ信号を生成するための信号処理装置と、
前記放送周波数搬送波上で前記複合ステレオ信号を変調するための変調器と
を備えることに特徴付けられる請求項１に記載の送信機。
【請求項４】  前記変調器は、
前記放送周波数搬送波信号を生成する発振器と、
前記ＦＭステレオ信号を生成する、前記発振器および前記信号処理装置に結合されたミキサと
を備えることに特徴付けられる請求項３に記載の送信機。
【請求項５】  前記変調ステレオ信号発生源は、前記変調器と前記信号コンバイナとの間に結合されたフィルタおよび増幅器をさらに備えることに特徴付けられる請求項３に記載の送信機。
【請求項６】  前記変調ＩＢＯＣ信号ソースは、
前記ＩＢＯＣデジタル・データ信号の発生源と、
可変パルス幅コードを使用して前記デジタル・データを符号化するためのエンコーダと、
前記符号化デジタル・データ信号の縁部（edge）を表すそれぞれのパルスを生成するパルス信号生成器と、
前記それぞれのパルスに対応する搬送波パルスを有する搬送波信号を生成する搬送波パルス信号生成器と
を備えることに特徴付けられる請求項１に記載の送信機。
【請求項７】  前記搬送波パルス信号生成器は、
前記パルス信号に応答して中間周波数パルス信号を生成する第１の変調器と、
前記中間周波数搬送波信号を前記搬送波パルス信号にアップ・コンバートする第２の変調器と
を備えることに特徴付けられる請求項６に記載の送信機。
【請求項８】  前記第１の変調器は、前記中間周波数で搬送波信号を生成する第１の発振器と、前記中間周波数パルス信号を生成する、前記パルス信号生成器および前記第１の発振器に結合された、第１のミキサとを備え、
前記第２の変調器は、前記ＦＭステレオ信号側波帯と重複することのない、前記伝送帯域幅内に前記搬送波パルス信号を配置するための、周波数で搬送波信号を生成する第２の発振器と、前記搬送波パルス信号を生成する、前記第１の変調器および前記第２の発振器に結合された第２のミキサとを備える
ことに特徴付けられる請求項７に記載の送信機。
【請求項９】  さらに、前記第１の変調器からの前記中間周波数パルス信号の単一の側波帯のみを通過させる、前記第１の変調器と前記第２の変調器の間に結合されたバンド・パス・フィルタに特徴付けられる請求項７に記載の送信機。
【請求項１０】  さらに、前記第１の変調器と前記第２の変調器の間で結合された増幅器に特徴付けられる請求項７に記載の送信機。
【請求項１１】  前記可変パルス幅コードは可変アパーチャ・コードであることに特徴付けられる請求項６に記載の送信機。
【請求項１２】  前記エンコーダは、前縁および後縁を有する符号化デジタル・データ信号を生成すること、
前記パルス信号生成器は、前記デジタル・データ信号の前記前縁および後縁のうちの一方に応答して正のパルスを生成し、前記デジタル・データ信号の前記前縁および後縁のうちの他方に応答して負のパルスを生成すること、および
前記搬送波信号生成器は、正のパルスに応答して第１の位相を有し、負のパルスに応答して第２の位相を有する、搬送波パルスを生成すること
に特徴付けられる請求項６に記載の送信機。
【請求項１３】  前記第１の位相は、前記第２の位相と、ほぼ１８０度位相がずれていることに特徴付けられる請求項１２に記載の送信機。
【請求項１４】  前記パルス信号生成器は、
前記エンコーダに結合された微分器と、
前記微分器に結合されたレベル検出器と
を備えることに特徴付けられる請求項６に記載の送信機。
【請求項１５】  前記デジタル・データ信号はデジタル・オーディオ信号を備えることに特徴付けられる請求項１に記載の送信機。
【請求項１６】  ＦＭステレオ信号を表す第１の変調信号と、可変パルス幅符号化信号として符号化されたイン・バンド・オン・チャネル（ＩＢＯＣ）デジタル・データ信号を表す、互いを基準として間隔を空けて配置された搬送波パルスを有する第２の変調信号とを含む単一の側波帯の放送信号を受け取るＦＭ放送受信機であって、
前記放送信号に応答して、ＦＭステレオ信号を表す第１の分離された信号と、ＩＢＯＣデジタル・データ信号を表す第２の分離された信号とを生成する信号セパレータと、
前記第１の分離された信号に応答して、前記ＦＭステレオ信号によって表されるステレオ・オーディオ信号を生成するＦＭ信号処理装置と、
前記第２の分離された信号に応答して、前記ＩＢＯＣデジタル・データ信号によって表されるデジタル・データ信号を生成するＩＢＯＣ信号処理装置とに特徴付けられるＦＭ放送受信機。
【請求項１７】  前記信号セパレータは、
前記第１の分離された信号のみを渡すための第１の帯域フィルタと、
前記第２の分離された信号のみを渡すための第２の帯域フィルタと
を備えることに特徴付けられる請求項１６に記載の受信機。
【請求項１８】  さらに、前記放送信号に応答する、前記信号セパレータに結合されたダウン・コンバータに特徴付けられる請求項１６に記載の受信機。
【請求項１９】  前記ダウン・コンバータは、
ローカル発振器と、
前記ローカル発振器に結合され、前記放送信号に応答して前記放送信号を中間周波数に変換するためのミキサと
を備えることに特徴付けられる請求項１６に記載の受信機。
【請求項２０】  さらに、受信アンテナと前記信号セパレータの間に結合された増幅器に特徴付けられる請求項１６に記載の受信機。
【請求項２１】  前記ＦＭ信号処理装置は、
前記第１の分離された信号に応答するＦＭ検出器と、
前記ＦＭ検出器に結合された、前記ステレオ・オーディオ信号を生成するためのＦＭステレオデコーダと
を備えることに特徴つけられる請求項１６に記載の受信機。
【請求項２２】  前記ＦＭ信号処理装置は、前記信号セパレータと前記ＦＭ検出器との間に結合された増幅器をさらに備えることに特徴付けられる請求項２１に記載の受信機。
【請求項２３】  前記ＩＢＯＣ信号処理装置は、
前記第２の分離された信号に応答する、受け取った搬送波パルスに応答して可変パルス幅符号化信号を生成する検出器と、
前記可変パルス幅符号化信号を復号し、前記デジタル・データ信号を生成するデコーダと
を備えることに特徴付けられる請求項１６に記載の受信機。
【請求項２４】  前記可変パルス幅コードは可変アパーチャ・コードであることに特徴付けられる請求項２３に記載の受信機。
【請求項２５】  前記搬送波パルスは第１の位相および第２の位相のうちの１つを有することに特徴付けられる請求項２３に記載の受信機。
【請求項２６】  前記第１の位相は、前記第２の位相と、ほぼ１８０度位相がずれていることに特徴付けられる請求項２５に記載の受信機。
【請求項２７】  さらに、前記信号セパレータと前記検出器との間で結合された、積分器（１２０）と、制限増幅器に特徴付けられる請求項２３に記載の受信機。
【請求項２８】  さらに、搬送波パルスが予測される場合に時間的に近傍のウィンドウィング信号を生成する、前記検出器に結合されたウィンドウィング・タイマに特徴付けられ、前記検出器は前記ウィンドウィング信号によって実行可能とされることに特徴付けられる請求項２３に記載の受信機。